(57)【要約】【課題】角コラムの溶接裏当金となる鋼板の曲げ部を曲げる際に曲げ部の複数の溝のうち中央の深い溝を中心にして曲がり始めて均一な曲げ形状に成形されて角コラムに容易にセットすることができる溶接裏当金を提供する。【解決手段】角コラムの端部を溶接接合する際に使用する溶接裏当金であって、角コラム内の角部の曲面に合わせて曲げる曲げ部を有する帯状の鋼板からなり、曲げ部４に鋼板の幅方向の全長にわたって複数の溝５が平行に形成されている溶接裏当金２において、溝５の形状は縦断面が上側を開口したコ字状をした溝であり、複数の溝５のうち、曲げ中心となる溝５ａが他の溝５ｂより深く形成されている。【選択図】図２
0003178879.tif 000002
【実用新案登録請求の範囲】
【請求項１】
角コラムの端部を溶接接合する際に使用する溶接裏当金であって、角コラム内の角部の曲面に合わせて曲げる曲げ部を有する帯状の鋼板からなり、前記曲げ部に前記鋼板の幅方向の全長にわたって複数の溝が平行に形成されている溶接裏当金において、
前記溝の形状は縦断面が上側を開口したコ字状をした溝であり、
前記複数の溝のうち、中央の溝が他の溝より深く形成されていることを特徴とする角コラムの溶接裏当金。
【請求項２】
前記鋼板の両端部に、先端に向けて長手方向に傾斜する傾斜面が設けられていることを特徴とする請求項1に記載の角コラムの溶接裏当金。
【請求項３】
前記鋼板の溝が形成されている面と反対の面に、溶接裏当金を角コラムにセットする際に角コラムの端部の縁に載せて位置決めする位置決め用突起が形成されていることを特徴とする請求項1又は２に記載の角コラムの溶接裏当て用鋼板。
【考案の詳細な説明】
【技術分野】
【０００１】
本考案は、建築用の柱などに使用される角形の角コラムを連結するために、角コラムどうしの突き合わせ溶接、あるいは角コラムの端部に平板のダイヤフラムを溶接する際に使用する溶接裏当金に関する。
【背景技術】
【０００２】
角コラムを溶接により連結する場合、溶融した溶接金属が角コラム内に流れ込まないように溶接部に溶接裏当金が使用されている。
【０００３】
図７〜９に示すように、角コラム１の端部の内側に枠状の溶接裏当金２を嵌合させ、溶接により仮付けなどして保持し、接続する角コラム１あるいはダイヤフラム３を溶接する（特許文献1、２参照）。
【０００４】
従来から、角コラムの溶接裏当金として、図１０（ａ）に示すように、溶接裏当金２となる溶接裏当て用鋼板に、角コラム１の角部に合わせて曲げられるように曲げ部４に複数の溝５を形成した溶接裏当て用鋼板が提案されている（特許文献３，４参照）。
【０００５】
前記特許文献３には、図１０（ｂ）に示すように、作業者が治具を用いずに曲げることができ、かつロボット溶接を行ったとき抜けが起こらないように構成した角コラムの溶接裏当として、角コラムの突き合わせ溶接のための、真直な状態で提供され角コラムの内寸に合わせて曲げ部４で曲げて用いられる溶接裏当て用鋼板２において、角コラムの各角部の内曲面部に当てるべき部分に、並列に配置された一群の溝５が形成された角コラムの溶接裏当て用鋼板が提案されている。
【０００６】
また、前記特許文献４には、図１０（ｃ）に示すように、鉄骨構造物の角コラムの内面側の曲率のバラツキがある場合でも、溶接上全く問題のない程度まで隙間を極力小さく抑えることができ、かつ加工し易い溶接裏当鋼板２として、角コラムそれぞれの角部内側の曲面部に当てるべき曲げ部４に一群の数のＶ溝５の群を設けた溶接裏当て用鋼板が提案されている。
【０００７】
図１０に示す溶接裏当て用鋼板２は、図１１に示すように、角コラム１の角部６に合わせて曲げ部４で曲げ、角コラム１の端部の内側に嵌合させ、溶接により仮付けなどして保持し、角コラム１を溶接する。
【先行技術文献】
【特許文献】
【０００８】
【特許文献１】特開２００３−２２０４９５号公報
【特許文献２】特開平１１−２１６５９４号公報
【特許文献３】特開２００３−１５４４８９号公報
【特許文献４】特開平８−１５５６７９号公報
【考案の概要】
【考案が解決しようとする課題】
【０００９】
前記特許文献３あるいは４に記載された溶接裏当て用鋼板は、各溝の幅、深さ、形状が同一であるため、鋼板を曲げる際に、どの溝を中心に曲がり始めるのか不明で一定しないことから、成形する曲げ形状が均一にできないという問題があった。
【００１０】
その結果、溶接裏当金の曲げ形状を角コラムの角部内側の曲面形状に合わせることが困難であり、合わない場合は工具で叩いて無理に合わせるかあるいは、叩いても合わない場合があった。
【００１１】
そこで、本考案は、角コラムの溶接裏当金となる鋼板の曲げ部を曲げる際に曲げ部の複数の溝のうち中央の深い溝を中心にして曲がり始めて均一な曲げ形状に成形されて角コラムに容易にセットすることができる溶接裏当金を提供するものである。
【課題を解決するための手段】
【００１２】
請求項１の考案は、角コラムの端部を溶接接合する際に使用する溶接裏当金であって、角コラム内の角部の曲面に合わせて曲げる曲げ部を有する帯状の鋼板からなり、前記曲げ部に前記鋼板の幅方向の全長にわたって複数の溝が平行に形成されている溶接裏当金において、前記溝の形状は縦断面が上側を開口したコ字状をした溝であり、前記複数の溝のうち、中央の溝が他の溝より深く形成されていることを特徴とする角コラムの溶接裏当金である。
【００１３】
請求項２の考案は、前記鋼板の両端部に、先端に向けて長手方向に傾斜する傾斜面が設けられていることを特徴とする請求項1に記載の角コラムの溶接裏当金である。
【００１４】
請求項３の考案は、前記鋼板の溝が形成されている面と反対の面に、溶接裏当金を角コラムにセットする際に角コラムの端部の縁に載せて位置決めする位置決め用突起が形成されていることを特徴とする請求項1又は２に記載の角コラムの溶接裏当て用鋼板である。
【考案の効果】
【００１５】
本考案の溶接裏当金は、曲げ部の曲げ中心となる中央の溝をその両側の溝より深くすることにより、鋼板を曲げる時に中央の深い溝を中心にして曲がり始めるため、曲面を均一に揃えて曲げることができ、角コラムの角部内側の曲面部の形状に合わせた曲面になるため、容易に角コラムに合わせてセットすることができる。
【００１６】
本考案の溶接裏当金は、鋼板の両端部に傾斜面を設けることで、溶接裏当金を角コラム内にセットした際に傾斜面が重なるためにそのまま溶接することが可能となる。
【００１７】
本考案の溶接裏当金は、位置決め用突起を形成することにより、角コラムの端部の縁に位置決め用突起を載せることで、溶接裏当金を正確にセットすることができる。
【図面の簡単な説明】
【００１８】
【図１】本考案の溶接裏当金を示し、（ａ）は平面図、（ｂ）は正面図である。
【図２】本考案の溶接裏当金の溝の拡大図である。
【図３】（ａ）は本考案の溶接裏当金を曲げた状態を示す図、（ｂ）は溶接裏当金を角コラムに保持した状態を示す図である。
【図４】本考案の溶接裏当金の端部において、各種傾斜面を示す平面図および正面図である。
【図５】（ａ）は図４に示す端部の傾斜面の接合部分を示す平面図、（ｂ）は正面図である。
【図６】図４に示す溶接裏当金において、突起を形成した溶接裏当金を示す図である。
【図７】角コラムの接合の説明図である。
【図８】角コラムとダイヤグラムの溶接の説明図である。
【図９】角コラムの突き合わせ溶接の説明図である。
【図１０】従来の溶接裏当鋼板を示し、（ａ）は平面図、（ｂ）、（ｃ）は溝の形状を示す図である。
【図１１】図１０に示す溶接裏当金を角コラムに保持した状態を示す図である。
【考案を実施するための形態】
【００１９】
本考案の溶接裏当金の実施例について図面を参照しながら説明する。
【実施例１】
【００２０】
図１および図２において、溶接裏当金２は帯状の鋼板で構成され、鋼板は、溝の形状を除いて、例えば前記特許文献３，４に記載されている溶接裏当て用鋼板のように、角コラムの溶接の際に従来から使用されている通常の溶接裏当金と同じ鋼種、寸法である。
【００２１】
溶接裏当金２となる溶接裏当て用鋼板には、角コラムの角部の曲面に合わせて曲げる曲げ部４に幅方向に平行に複数の溝５が形成される。
【００２２】
溝５が形成される曲げ部４は、従来から使用されている溶接裏当て用鋼板と同じく、鋼板２を曲げて角コラム内周に保持して使用する際に角コラム内周の四隅の角部に対応する箇所である。
【００２３】
溝５の形状は、図２に示すように、縦断面が上側を開口したコ字状の溝５に形成する。溝の数は、５〜７列とする。例えば、６列の溝５の場合、中央の２個の溝５ａの深さ（Ｔ２）を７．５ｍｍし、その両側の溝５ｂの深さ（Ｔ１）を７ｍｍにして中央の溝５ａを０．５ｍｍ深くする。
【００２４】
曲げ中心となる中央の溝をその両側の溝より深くすることにより、鋼板を曲げる時に中央の深い溝を中心にして曲がり始めるため、精確に均一な曲面に曲げることができ、角コラム角部内側の曲面部形状に合わせた鋼坂の曲形状になるため、容易に角コラムにセットすることができる。
【００２５】
図３においては、溶接裏当金２は、例えば、幅２５ｍｍ、厚み９ｍｍ、長さは角コラム内周の１／２であり、曲げ部４の溝の深さは、中央の溝５ａが７．５ｍｍ、両側の溝５ｂが７．０ｍｍと中央の溝５ａより浅く形成された溶接裏当金２を、図３（ａ）に示すように、中央の深い溝５ａを中心にして折り曲げる。
【００２６】
折り曲げた２本の溶接裏当金２の曲げ部４を角コラム1の角部６に合わせて嵌合させ、溶接などで仮止めして保持する。
【実施例２】
【００２７】
溶接裏当金の端部を垂直に形成すると、角コラム角部の曲面部の寸法より溶接裏当金の曲げ部が小さい場合、二つの溶接裏当金を角コラム内にセットした時、対向する溶接裏当金の端部の隙間が大きくなるために溶接ができなくなる。また、角コラムの角部の曲面部の寸法より溶接裏当金の曲げ部が大きい場合、角コラム内にセットしようとすると、対向する溶接裏当金の端部どうしが重なってセット出来ないために、切断する必要があった。
【００２８】
本実施例では、図４に示すように、溶接裏当金２の両端部に傾斜面７を設ける。傾斜面７は、図４（ａ）では両端に下方に傾斜した傾斜面７とし、図４（ｂ）では一方の端部は下方に傾斜した傾斜面７とし、他方の端部を上方に傾斜した傾斜面７とし、図４（ｃ）では図４（ａ）よりも傾斜面を小さくし、図４（ｄ）では両側の端部を上方に傾斜した傾斜面７としたものである。
【００２９】
溶接裏当金２の両端部に傾斜面７を設けることにより、図５に示すように、角コラム１の角部６の曲面の寸法より溶接裏当金２の曲形状が小さい時には、角コラム内にセットした際に溶接裏当金２の端部に隙間があるが、溶接裏当金は傾斜面７が重なるためにそのまま溶接することが可能である。
【００３０】
また、角コラム１の角部６の曲面の寸法より溶接裏当金２の曲り形状が大きい場合でも、角コラム内にセットできるようになり、溶接裏当金２の端部どうしが当たっても溶接裏当金が内側に逃げるだけで、溶接は可能である。
【実施例３】
【００３１】
溶接裏当金２は、角コラムの端部にセットする際に一定長さ突出するように位置決めされる。そのため、本実施例では、角コラムの端部の縁に載せる位置決め用突起を外側へ向けて形成したものである。角コラムの端部の縁に位置決め用突起を載せることで、溶接裏当金２を正確に位置決めしてセットすることができる。
【符号の説明】
【００３２】
１：角コラム  
２：溶接裏当金
３：ダイヤフラム
４：曲げ部 
５ａ：中央の溝
５ｂ：両側の溝
６：角部 
７：傾斜面
８：位置決め用突起
【図１】
0003178879.tif 000003
【図２】
0003178879.tif 000004
【図３】
0003178879.tif 000005
【図４】
0003178879.tif 000006
【図５】
0003178879.tif 000007
【図６】
0003178879.tif 000008
【図７】
0003178879.tif 000009
【図８】
0003178879.tif 000010
【図９】
0003178879.tif 000011
【図１０】
0003178879.tif 000012
【図１１】
0003178879.tif 000013